(57)【要約】【課題】異物が挟まったりタッチ領域外縁に対するタッチ指定が行われたりしてＩＴＯ膜が局所的に擦れることを防いで、タッチパネル付表示装置での座標検出精度の低下を防ぐ。【解決手段】タッチパネル付表示装置１０１のタッチパネル１０５のタッチ面１０８と、このタッチ面１０８の外周領域を覆うケース１０２の枠状部１０４との間には、隙間１１２が形成されており、ここには異物が入りやすくなっている。枠体２０１は、タッチパネル付表示装置１０１に取り付けられると、タッチ面１０８のタッチ領域１０８ａに迫り出して、タッチ領域外縁１０９を覆い隠す。枠体２０１とタッチパネル１０５との間に挟まった異物は、スライド部材３０２を動かし枠体２０１をタッチパネル付表示装置１０１から取り外すことによって取り除くことができる。【選択図】図１
2010044467.tif 000002
【特許請求の範囲】
【請求項１】
情報表示体に搭載されるタッチパネルと、
前記タッチパネルのタッチ面の外周領域を覆う枠状部を有し、このタッチ面を当該枠状部の枠内開口から露出させて前記タッチパネルと前記情報表示体とを収納するケースと、
前記ケースに取り付けられ、前記枠状部の枠内開口方向に迫り出しさらに前記タッチ面に向けて迫り出している迫出部を有する枠体と、
前記枠体を前記ケースに着脱自在に取り付ける取付機構と、
を備えるタッチパネル付表示装置のカバー構造。
【請求項２】
前記迫出部は、前記タッチ面に対向する対向面を有する、
請求項１記載のタッチパネル付表示装置のカバー構造。
【請求項３】
前記迫出部は、前記枠状部の内周にフィットする形状を有する、
請求項１又は２記載のタッチパネル付表示装置のカバー構造。
【請求項４】
前記枠体は、前記ケースの外側周面にフィットする装着部を有する、
請求項１ないし３のいずれか一に記載のタッチパネル付表示装置のカバー構造。
【発明の詳細な説明】
【技術分野】
【０００１】
本発明は、ＬＣＤ等の表示ユニットにタッチパネルを備えて構成されるタッチパネル付表示装置に装着される枠体による、タッチパネル付表示装置のカバー構造に関する。
【背景技術】
【０００２】
近年、ＬＣＤ等の表示ユニットにタッチパネルを備えて構成されるタッチパネル付表示装置が数多く普及している。例えば、特許文献１に記載のＰＤＡ７２は、液晶パネル７０の上面に抵抗膜方式のタッチパネル５０が搭載され、そのタッチパネル５０の周囲がカバー７１で覆われて構成される。このタッチパネル５０は、ＩＴＯ膜（透明導電膜）５２を上面に形成した四角形状のガラス板５１と、ＩＴＯ膜６２を下面に形成したフィルム６０とを、ＩＴＯ膜５２，６２同士を対向させ、貼り合せ材である枠状の両面粘着テープ５９によって接着させて構成されている。
【０００３】
【特許文献１】特開２００５−２８４６０３公報（段落番号００２１、００２２及び図５）
【発明の開示】
【発明が解決しようとする課題】
【０００４】
特許文献１に記載のＰＤＡ７２を用い、操作者は、ペン７５でタッチパネル５０の上面をなすフィルム６０に文字を書いたり、所定の場所を押し付けたりしてタッチ入力操作を行うことができる。しかし、ガラス板５１とフィルム６０とは両面粘着テープ５９の厚みδだけ離間しているため、タッチパネル５０の外縁部分には、タッチ指定した点とＰＤＡ７２で検出される座標値とが対応しない箇所が生じる。また、タッチパネル５０の外縁部分を操作者がペン７５でタッチ指定することにより、フィルム６０の下面に形成されるＩＴＯ膜６２が両面粘着テープ５９の端部に接触して局所的に強い力がかかり、ＩＴＯ膜で擦れてその抵抗値が変化し、タッチパネル付表示装置での座標検出精度が低下してしまう。
【０００５】
そこで、図９に示すように、タッチパネル付表示装置９０１において、カバー９０２を、タッチパネル９０３と平行にタッチパネル９０３のタッチ面９０４の内側方向に延出させて、タッチパネル９０３の外縁部分９０５を操作者にタッチ指定させないようにし、タッチパネル付表示装置９０１での座標検出精度の低下を防ぐことが考えられる。しかし、この場合、延出したカバー９０２とタッチパネル９０３との間に異物９０６が挟まりやすくなり、ここに大きな異物９０６が挟まった場合にはタッチパネル９０３のフィルム９０７が局所的にガラス板９０８に押され続け、ＩＴＯ膜９０９同士が擦れて抵抗値が変化し、やはり、タッチパネル付表示装置９０１での座標検出精度が低下してしまう。さらには、操作者が、爪楊枝等の先端が細い道具９１０を用いて異物９０６を取り除こうとし、フィルム９０７やＩＴＯ膜９０９を傷つけてしまうおそれもある。
【０００６】
本発明の目的は、タッチパネル付表示装置での座標検出精度の低下を防ぐことである。
【課題を解決するための手段】
【０００７】
本発明のタッチパネル付表示装置のカバー構造は、情報表示体に搭載されるタッチパネルと、前記タッチパネルのタッチ面の外周領域を覆う枠状部を有し、このタッチ面を当該枠状部の枠内開口から露出させて前記タッチパネルと前記情報表示体とを収納するケースと、前記ケースに取り付けられ、前記枠状部の枠内開口方向に迫り出しさらに前記タッチ面に向けて迫り出している迫出部を有する枠体と、前記枠体を前記ケースに着脱自在に取り付ける取付機構と、を備える。
【発明の効果】
【０００８】
本発明によれば、枠体は、ケースの開口部に向けて迫り出し、この開口部分から露出するタッチパネルのタッチ面のタッチ領域外縁を操作者がタッチ指定することを防ぐことができる。また、枠体は、その迫り出した部分がタッチ面に向けてさらに迫り出していて、タッチパネルとケースとの隙間に異物が入り込むことを防ぐことができる。さらには、枠体をケースから取り外して枠体とタッチパネルとの間に入り込んだ異物を取り除くことができる。このため、タッチパネル付表示装置において、ケースとタッチパネルとの間に異物が挟まったり、タッチ領域外縁に対するタッチ指定が行われたりしてＩＴＯ膜が局所的に擦れることはなくなり、タッチパネル付表示装置での座標検出精度の低下を防ぐことができる。
【発明を実施するための最良の形態】
【０００９】
本発明の実施の一形態について、図１ないし図８に基づいて説明する。
【００１０】
図１（ａ）は、枠体２０１が装着された状態のタッチパネル付表示装置１０１の外観斜視図である。図１（ｂ）は、枠体２０１が取り外された状態のタッチパネル付表示装置１０１の外観斜視図である。タッチパネル付表示装置１０１は、平面視矩形形状の扁平なケース１０２を有する。ケース１０２の上面は、矩形形状の開口部１０３が開口形成された枠状部１０４となっている。ケース１０２には、タッチパネル１０５が収納されている。タッチパネル１０５は、情報表示体としてのＬＣＤ１０６の情報表示面１０７（図３及び図４参照）に微小間隔だけ離間して平行に対向配置されている。そして、情報表示面１０７に対向する面とは反対側のタッチパネル１０５のタッチ面１０８から情報表示面１０７に表示された情報に向けて力を加えて押下することで、操作者は、情報表示面１０７に表示された情報に対するタッチ指定入力を行うことができる。タッチパネル１０５のタッチ面１０８は、その外周領域１０９（図２（ａ）参照）を枠状部１０４に覆われる。このため、タッチ面１０８のうち開口部１０３から外側に露出された部分は、操作者がタッチ指定可能なタッチ領域１０８ａとなる。ケース１０２には、このタッチパネル１０５の他にも、ＬＣＤ１０６や回路基板１１０（図３及び図４参照）が収納されている。
【００１１】
タッチパネル付表示装置１０１には、上方から枠体２０１が装着される。枠体２０１は、ケース１０２の外側周面１１１にフィットする装着部２０２を有する。そして、枠体２０１は、このケース１０２に装着されると、少なくともケース１０２の上面をなす枠状部１０４を覆う。そして、この状態で、さらに枠体２０１は、枠状部１０４の上方から開口部１０３の方向に迫り出す迫出部２０３を有する。迫出部２０３のうち開口部１０３側の部分は、タッチ面１０８に向けてさらに迫り出している。このため、枠体２０１がタッチパネル付表示装置１０１に装着されると、枠体２０１は、ケース１０２の枠状部１０４とタッチパネル１０５のタッチ面１０８との間に形成されてしまう隙間１１２に異物Ｘ（図３及び図４参照）が入り込むことを防ぐ。
【００１２】
タッチパネル付表示装置１０１の左右両側面には、スライド部材３０２が取り付けられたレール体３０３が突出形成されている。また、ケース１０２の手前側面には、二つの爪部３０１ａが突出形成されている。一方、枠体２０１の左右両側面には、レール体３０３の上面に接触しスライド部材３０２が手前側にスライドされることでこのスライド部材３０２の中にレール体３０３とともに嵌まり込む突部３０４が突出形成されている。そして、枠体２０１の手前側面の下端には、爪部３０１ａを嵌め込むことができる取付孔２０５が設けられている。スライド部材３０２とレール体３０３と突部３０４とは、取付機構３０１を構成している。
【００１３】
図２（ａ）は、枠体２０１が取り外された状態のタッチパネル付表示装置１０１の平面図である。図２（ｂ）は、枠体２０１が装着された状態のタッチパネル付表示装置１０１の平面図である。図２（ａ）及び図２（ｂ）では、タッチパネル１０５の外周辺を一点鎖線で示している。また、図２（ｂ）では、ケース１０２の輪郭と、開口部１０３を規定する枠状部１０４の内周辺とをいずれも二点鎖線で示している。また、図２（ｂ）では、左側のスライド部材３０２を奥方向に、右側のスライド部材３０２を手前方向に、それぞれスライドさせた状態を示している。
【００１４】
まず、図２（ａ）に基づいて説明する。枠状部１０４に開口形成された開口部１０３は、タッチパネル１０５のタッチ面１０８よりも若干小さい矩形形状に形成されている。このため、枠状部１０４は、タッチパネル１０５のタッチ面１０８の外周領域１０９を覆う。また、二つのスライド部材３０２は、ケース１０２の左右両側面からいずれも間隔Ｐをあける位置に位置させて、レール体３０３に取り付けられている。
【００１５】
次に、図２（ｂ）に基づいて説明する。枠体２０１は、図２（ｂ）に示すように、ケース１０２の枠状部１０４を覆う形状に形成されている。装着部２０２は、枠体２０１の最も外側で厚みＰをもって図２（ｂ）における紙面の奥側方向に環状に突出している。このため、装着部２０２は、ケース１０２の外周側面とスライド部材３０２との間に嵌まり込む。
【００１６】
また、枠体２０１は、開口部１０３の内側方向に幅Ｑだけ延出した形状を有している。この延出した部分が、迫出部２０３である。
【００１７】
図３は、図２（ｂ）のＡ−Ａ線断面図である。ケース１０２の底面側は開口しており、裏蓋１１３によって閉じられる。裏蓋１１３は、ネジ１１４によりケース１０２に固定されている。ケース１０２には、下方から順に、回路基板１１０、固定用板金１１５、ＬＣＤ１０６、タッチパネル１０５が平行に配置されて収納されている。固定用板金１１５は、ケース１０２の枠状部１０４から下方に垂下している取付用突部１１６に、ネジ１１７によって固定されている。回路基板１１０は、ＬＣＤ１０６を制御して情報表示面１０７に各種の情報を表示する処理や、タッチパネル１０５から入力される電気信号に基づいてタッチパネル１０５のタッチ面１０８でタッチされた座標を示す座標値を算出する処理を行う回路が組み込まれており、バッテリ（図示せず）によって駆動する。この回路基板１１０は、固定用板金１１５の裏面側にネジ１１８によって固定される。ＬＣＤ１０６は、情報表示面１０７を上方に向けて、固定用板金１１５の表面側に突出形成されている支持部１１９に支持されている。ＬＣＤ１０６は、回路基板１１０の制御によって、情報表示面１０７に各種の情報を表示する。
【００１８】
タッチパネル１０５は、図３に示すように、クッションゴム１２０を介して、ケース１０２の枠状部１０４とＬＣＤ１０６とに挟まれて固定されている。このタッチパネル１０５は、底部を構成するガラス板１２１と、透光性を有するフィルム１２２とを備えて構成されている。ガラス板１２１とフィルム１２２とは平行をなしており、これらの間には、誤入力防止部材１２３及び貼合せ材１２４が挟まれて、空間１２５が形成されている。誤入力防止部材１２３は、貼合せ材１２４よりもタッチパネル１０５のタッチ面１０８の内側方向に延出しており、タッチ面１０８の外周領域１０９よりも内側のタッチ面１０８のタッチ領域外縁１０９ａがペン（図示せず）等により押下されることを防いでいる。そして、空間１２５側を向いているガラス板１２１及びフィルム１２２のそれぞれの面には、ＩＴＯ膜１２６が形成されている。また、空間１２５側を向いているガラス板１２１の一方の面には、ドットスペーサ１２７が所定間隔で離間して配置されている。
【００１９】
枠体２０１は、その裏面が図３に示すように、タッチパネル付表示装置１０１のケース１０２の上面に接触してフィットする形状に形成されている。そして、枠体２０１に備わる迫出部２０３の下側には、タッチパネル１０５のタッチ面１０８に平行に対向する平坦な対向面２０６が形成されている。さらに、迫出部２０３には、枠体２０１がタッチパネル付表示装置１０１に装着された場合にケース１０２の枠状部１０４の内周面１２８に当接する当接面２０７が形成されている。ここで重要なのは、このような枠体２０１がタッチパネル付表示装置１０１に装着されることにより、クッションゴム１２０が存在することによってケース１０２の枠状部１０４とタッチパネル１０５のタッチ面１０８との間に生じてしまう隙間１１２が、枠体２０１の内周縁２０８から奥まった位置に位置付けられるという点である。
【００２０】
図４は、異物Ｘがタッチパネル１０５のタッチ面１０８と枠体２０１との間に挟まった状態を示す図２（ｂ）のＡ−Ａ線断面図である。上記に述べたように、隙間１１２が枠体２０１の内周縁２０８から奥まった位置に位置付けられることから、タッチパネル１０５のタッチ面１０８から隙間１１２に入り込もうとする異物Ｘは、図４に示すように、枠体２０１の対向面２０６とタッチパネル１０５のタッチ面１０８との間の箇所で食い止められ、隙間１１２に入り込むことを防ぐことができる。
【００２１】
図５は、枠体２０１がタッチパネル付表示装置１０１から取り外された状態を示す図２（ｂ）のＡ−Ａ線断面図である。枠体２０１の対向面２０６とタッチパネル１０５のタッチ面１０８との間に挟まった異物Ｘは、枠体２０１をタッチパネル付表示装置１０１から取り外すことにより、容易に取り除くことができる。枠体２０１のタッチパネル付表示装置１０１への取付や、タッチパネル付表示装置１０１からの取り外しは、操作者が、取付機構３０１を動かすことにより実現される。
【００２２】
図６は、取付機構３０１を示す外観斜視図である。図６では、ケース１０２の一部と、枠体２０１の一部とをそれぞれ破断させて示している。取付機構３０１は、枠体２０１をケース１０２に着脱自在に取り付ける機構である。
【００２３】
取付機構３０１を構成する突部３０４には、枠体２０１の外側面に突出形成されている直方体形状の部材であり、その長手方向がタッチパネル付表示装置１０１の手前側から奥側に向かう方向に向けられている。突部３０４の下面は、平坦面である。突部３０４の上面には、長手方向一杯に溝部３０５が形成されている。
【００２４】
取付機構３０１を構成するレール体３０３は、ケース１０２の左右両側面に突出形成されている直方体形状の部材であり、その長辺は突部３０４の長辺よりも長く形成されている。そしてレール体３０３は、手前側の側面３０６と突部３０４の手前側の側面３０７とが面一となる位置に位置させて、長手方向がタッチパネル付表示装置１０１の手前側から奥側に向かう方向に向けられている。レール体３０３の上面は平坦面となっており、突部３０４の下面と当接するよう形成されている。レール体３０３の内部には、長手方向に向くレール部３０８（図８参照）が形成されている。レール部３０８は、スライド部材３０２の爪部３０９（図７及び図８参照）が装着できる形状に形成されている。そして、このスライド部材３０２の爪部３０９がレール体３０３のレール部３０８に装着されると、図６（ａ）〜（ｃ）に示すように、レール体３０３の長手方向にスライド自在となる。また、スライド部材３０２は、レール体３０３の手前側の側面３０６と、レール体３０３の奥側の側面（図示せず）とによって抜け止めされている。
【００２５】
図７は、取付機構３０１を構成するスライド部材３０２の外観斜視図である。スライド部材３０２は、プラスチック等の可撓性を有する素材により断面コ字形状に形成され、一端３１２ａは丸みを帯びた形状に形成されている。このスライド部材３０２の一端３１２ａ側の上面及び下面のそれぞれには、操作者がスライド部材３０２をスライド移動させやすいよう、滑り止め部３１０が形成されている。スライド部材３０２のコ字上片３１３で、図７に示す紙面の手前側には、長手方向一杯に突部３０４の溝部３０５（図６（ａ）参照）に嵌合する嵌合部３１１が形成されている。また、スライド部材３０２の他端３１２ｂには、断面のコ字形状が現れる。そして、スライド部材３０２のコ字下片３１４の内側には、他端３１２ｂ側に寄せて、爪部３０９が突設されている。爪部３０９は、コ字下片３１４の図７に示す紙面の手前側から上方に立ち上がり、その上端部分はコ字上片３１３とコ字下片３１４とを連結する連結片３１５に迫り出して、上方に向かう程に細くなる爪形状となっている。
【００２６】
図８は、図２（ｂ）のＢ−Ｂ線断面図である。スライド部材３０２は、嵌合部３１１が突部３０４の溝部３０５に、爪部３０９がレール体３０３のレール部３０８に、それぞれ嵌まり込む。ここで、突部３０４の溝部３０５とレール体３０３のレール部３０８とはいずれも、タッチパネル付表示装置１０１の手前側から奥側に向かう方向に延びているため、スライド部材３０２は、この方向にスライド自在となる。そして、スライド移動するスライド部材３０２は、レール体３０３の手前側の側面３０６及び奥側の側面（図示せず）に抜け止めされる。このスライド部材３０２は、枠体２０１がタッチパネル付表示装置１０１に装着されていない状態で、爪部３０９をレール体３０３の下方から、レール体３０３のレール部３０８とケース１０２の側面１０２ａとの隙間３１６に差し込むことにより装着される。爪部３０９は、スライド部材３０２の可撓性によって隙間３１６に差し込まれる際に、ケース１０２の側面１０２ａ側に撓み、さらに爪部３０９が深く差し込まれることによってスライド部材３０２の弾性によってレール部３０８に嵌まり込み、脱落することがなくなる。
【００２７】
図６に基づく説明に戻る。操作者は、スライド部材３０２をタッチパネル付表示装置１０１の奥側方向にスライドさせることにより、スライド部材３０２の上面が大きく現れるようになる。この状態で、操作者は、枠体２０１の装着部２０２をケース１０２とスライド部材３０２との間に挿入させて、突部３０４の下面とレール体３０３の上面とを当接させる（図６（ａ））。続いて、操作者は、スライド部材３０２を、タッチパネル付表示装置１０１の手前方向にスライドし（図６（ｂ））、爪部３０９（図７参照）をレール体３０３の手前側の側面３０６に接触させる（図６（ｃ））。図６（ｃ）に示すように、レール体３０３及び突部３０４がスライド部材３０２に嵌め込まれるようにレール体３０３を手前側にスライドさせることにより、枠体２０１はタッチパネル付表示装置１０１から外れなくなり、枠体２０１は、ケース１０２の枠状部１０４とタッチパネル１０５のタッチ面１０８との間の隙間１１２に異物Ｘが進入することを防ぐ位置に固定される。
【００２８】
枠体２０１をタッチパネル付表示装置１０１から取り外すためには、操作者は、上記の手順とは逆の手順を踏み、スライド部材３０２をタッチパネル付表示装置１０１の奥側一杯にスライド移動させ、スライド部材３０２を図６（ａ）に示す位置に位置付ける。
【００２９】
このように構成される本実施の形態の枠体２０１をタッチパネル付表示装置１０１に装着することで、枠体２０１は、ケース１０２の開口部１０３に向けて迫り出し、タッチパネル１０５のタッチ面１０８のタッチ領域外縁１０９ａを操作者がペン（図示せず）等で押下することを防ぐことができる。そして、枠体２０１の迫出部２０３は、タッチパネル１０５のタッチ面１０８側に迫り出していて、ケース１０２とタッチパネル１０５との間の隙間１１２に入り込む異物Ｘを食い止めることができる。さらに、スライド部材３０２をタッチパネル付表示装置１０１の手前側や奥側にスライドすることにより、枠体２０１をタッチパネル付表示装置１０１に取り付けたりタッチパネル付表示装置１０１から取り外したりすることができ、枠体２０１によって食い止められた異物Ｘを容易に取りのぞくことができる。このため、本実施の形態の枠体２０１をタッチパネル付表示装置１０１に装着することによって、異物Ｘが挟まったりタッチ領域外縁１０９ａに対するタッチ指定が行われたりしてタッチパネル１０５のＩＴＯ膜１２６が局所的に擦れることはなくなり、タッチパネル付表示装置１０１での座標検出精度の低下を防ぐことができる。
【００３０】
さらに、本実施の形態の枠体２０１の迫出部２０３は、ケース１０２の枠状部１０４の内周面１２８に当接する当接面２０７を有していて迫出部２０３は枠状部１０４にフィットし、また、枠体２０１の装着部２０２はケース１０２の外側周面にフィットする形状となっているので、操作者は、枠体２０１をタッチパネル付表示装置１０１に着脱させやすい。
【図面の簡単な説明】
【００３１】
【図１】（ａ）は、枠体が装着された状態のタッチパネル付表示装置の外観斜視図であり、（ｂ）は、枠体が取り外された状態のタッチパネル付表示装置の外観斜視図である。
【図２】（ａ）は、枠体が取り外された状態のタッチパネル付表示装置の平面図である。（ｂ）は、枠体が装着された状態のタッチパネル付表示装置の平面図である。
【図３】図２（ｂ）のＡ−Ａ線断面図である。
【図４】異物がタッチパネルのタッチ面と枠体との間に挟まった状態を示す図２（ｂ）のＡ−Ａ線断面図である。
【図５】枠体がタッチパネル付表示装置から取り外された状態を示す図２（ｂ）のＡ−Ａ線断面図である。
【図６】取付機構を示す外観斜視図である。
【図７】取付機構を構成するスライド部材の外観斜視図である。
【図８】図２（ｂ）のＢ−Ｂ線断面図である。
【図９】本発明の前提となるタッチパネル付表示装置の断面図である。
【符号の説明】
【００３２】
１０１…タッチパネル付表示装置、１０２…ケース、１０３…開口部、１０４…枠状部、１０５…タッチパネル、１０６…ＬＣＤ（情報表示体）、１０８…タッチ面、１０９…外周領域、２０１…枠体、２０２…装着部、２０３…迫出部、３０１…取付機構、２０６…対向面
【図１】
2010044467.tif 000003
【図２】
2010044467.tif 000004
【図３】
2010044467.tif 000005
【図４】
2010044467.tif 000006
【図５】
2010044467.tif 000007
【図６】
2010044467.tif 000008
【図７】
2010044467.tif 000009
【図８】
2010044467.tif 000010
【図９】
2010044467.tif 000011